(57)【要約】【課題】  複数のＬＥＤから成る光源ユニットにより被写体を均等に照明し、光の照射による熱を速やかに拡散する簡素化された構造の照明装置を提供する。【解決手段】  ＬＥＤを光源とする第４〜第６光源ユニット１６Ｄ〜Ｆは、それぞれの発光面５０Ｄ〜Ｆの法線がいずれも撮影光学系１４の光軸と平行になるようにデジタルカメラ１０に配置される。第４〜第６発光面５０Ｄ〜Ｆからの照射光ＬＤ〜ＬＦは、一体型レンズ５４の第４〜第６光路調整部５４Ｄ〜Ｆにより、それぞれ光路調整されて所定の方向に所定の照射角で照射され、第４〜第６光源ユニット以外の光源ユニットからの照射光と共に撮影領域を均等に照明する。一体型レンズ５４と各光源ユニット１６Ｄ〜Ｆとの間には、一体型レンズ５４と光源ユニット１６Ｄ〜Ｆとの位置関係や焦点距離を一定に保持し、光の照射による熱を速やかに拡散するホルダ５６が設置される。【選択図】        図４
2005114924.tif 000002
【特許請求の範囲】
【請求項１】
被写体の照明のため撮影装置と共に用いられる撮影用照明装置であって、
半導体発光素子と、前記半導体発光素子からの光を射出する発光面とをそれぞれ有し、前記発光面の法線が全て同一方向を向くように設置された複数の光源ユニットと、
前記複数の光源ユニットから射出された光をそれぞれ所定の方向及び所定の照射角に光路調整する複数の光路調整部を有し、前記複数の光路調整部が一体的に成形されている光路調整ユニットと
を備えることを特徴とする撮影用照明装置。
【請求項２】
前記光源ユニットの発光面が概略同一平面上に配置されることを特徴とする請求項１に記載の撮影用照明装置。
【請求項３】
前記複数の光源ユニットが、前記撮影装置の撮影領域と略相似の形状に配列されていることを特徴とする請求項１に記載の撮影用照明装置。
【請求項４】
前記光路調整ユニットが、前記複数の光源ユニットから射出された光を光路調整することにより、前記撮影用照明装置からの光が、前記撮影領域にわたって均等に照射されることを特徴とする請求項１に記載の撮影用照明装置。
【請求項５】
前記光路調整ユニットが、
前記複数の光源ユニットのうちで中央に配置された第１の光源ユニットから前記撮影装置の撮影光学系光軸と平行な方向に光を出射させ、
前記複数の光源ユニットのうちで第２の光源ユニットから、前記第１の光源ユニットから出射された光から遠ざけるように前記撮影光学系光軸方向に対して傾きを持たせた方向に光を出射させ、
前記第１の光源ユニットと前記第２の光源ユニットとの距離が大きいほど前記傾きを大きくさせるように光路調整することを特徴とする請求項４に記載の撮影用照明装置。
【請求項６】
前記複数の光路調整部は、前記複数の光源ユニットから射出される光をそれぞれ光路調整するために設けられた複数のレンズから成り、
前記複数の光源ユニットのうちで中央に配置された第１の光源ユニットに対応する第１のレンズが、前記第１のレンズの光軸が前記第１の光源ユニットの発光面の中心から延出する法線と略一致するように配置され、
前記複数の光源ユニットのうちで第２の光源ユニットに対応する第２のレンズが、前記第２の光源ユニットと前記第１の光源ユニットとの距離が大きいほど、前記第２のレンズの光軸と、前記第２の光源ユニットの発光面の中心から延出する法線との距離が大きくなり、なおかつ前記第２の光源ユニットの発光面の中心から延出する法線が前記第２のレンズの光軸と前記第１のレンズの光軸との間に位置するように設置されることを特徴とする請求項１に記載の撮影用照明装置。
【請求項７】
前記複数の光源ユニットおよび前記光路調整ユニットが取付けられる保持部材をさらに有し、前記保持部材により前記複数の光源ユニットと前記光路調整部との位置関係が規定されることを特徴とする請求項１に記載の撮影用照明装置。
【請求項８】
前記保持部材が、高熱伝導性を有する金属で形成されることを特徴とする請求項７に記載の撮影用照明装置。
【発明の詳細な説明】
【技術分野】
【０００１】
本発明は、銀塩カメラやデジタルカメラ、撮影機能付き携帯機器等の撮影装置による撮影において、被写体に照明光を照射するために使用可能な照明装置に関する。
【背景技術】
【０００２】
近年、銀塩フィルムの高感度化や、ＣＣＤ撮像素子の感度の向上により、撮影用の照明装置に大きな光量が必要ではなくなりつつある。このことから、従来のキセノン管を用いた照明装置よりも照射光の光量はまだ小さいものの、発光効率が飛躍的に向上しており、低電流化、長寿命化が可能であること等の利点を有する半導体発光素子であるＬＥＤを光源として用いる撮影用の照明装置が提案されている。
【０００３】
しかしながら、単独のＬＥＤでは撮影用の照明光源として必要とされる光量を供給することが困難であることから、複数のＬＥＤを光源として備えた撮影用照明装置が開示されている（例えば特許文献１）。
【特許文献１】特開２００２−１４８６８６号公報（段落［０００６］）
【発明の開示】
【発明が解決しようとする課題】
【０００４】
照射角が撮影レンズの画角よりも狭いＬＥＤを複数個、組合せて撮影用照明装置の光源とする場合、撮影領域全般を均一に照明するために、個々のＬＥＤは互いに異なる角度で撮影装置に設置される。このため、照明装置の構造が複雑化する。さらに、複数個のＬＥＤが互いに近接するように設置されることから、光の照射により生じる熱が集中し、このため、照明装置に対する、あるいは取扱い上の問題を引起こす可能性がある。
【０００５】
また、一般にＬＥＤは、発光部と、発光部を覆って保護しつつレンズの役目も果たす透明樹脂とによって形成されており、配向特性を制御することが難しく、光の照射方向の適正化に難点がある。
【０００６】
そこで本発明は、複数の半導体発光素子を光源として用いながら構造を簡素化し、照射光の熱による高温化を防ぎ、なおかつ被写体を均等に照明する照明装置を提供することを目的とする。
【課題を解決するための手段】
【０００７】
本発明の撮影用照明装置は、被写体の照明のため撮影装置と共に用いられ、半導体発光素子と、半導体発光素子からの光を射出する発光面とをそれぞれ有し、発光面の法線が全て同一方向を向くように設置された複数の光源ユニットを備えている。さらに、撮影用照明装置は、複数の光源ユニットから射出された光をそれぞれ所定の方向及び所定の照射角に光路調整する複数の光路調整部を有し、複数の光路調整部が一体的に成形されている光路調整ユニットを備えることを特徴とする。
【０００８】
複数の光源ユニットにそれぞれ設けられる発光面は、略同一平面上に配置されることが好ましい。
【０００９】
また、複数の光源ユニットは、撮影装置の撮影領域と略相似の形状に配列されていることが好ましい。
【００１０】
光路調整ユニットが複数の光源ユニットから射出された光を光路調整することにより、撮影用照明装置からの光が、撮影領域にわたって均等に照射されることが望ましい。この場合、光路調整ユニットは、複数の光源ユニットのうちで中央に配置された第１の光源ユニットから撮影装置の撮影光学系光軸と平行な方向に光を出射させ、複数の光源ユニットのうちで第２の光源ユニットから、第１の光源ユニットから出射された光から遠ざけるように撮影光学系光軸方向に対して傾きを持たせた方向に光を出射させ、第１の光源ユニットと第２の光源ユニットとの距離が大きいほどその傾きを大きくさせるように光路調整することがより望ましい。
【００１１】
複数の光路調整部は、複数の光源ユニットから射出される光をそれぞれ光路調整するために設けられた複数のレンズから成ることが好ましい。そして、複数の光源ユニットのうちで中央に配置された第１の光源ユニットに対応する第１のレンズは、第１のレンズの光軸が第１の光源ユニットの発光面の中心から延出する法線と略一致するように配置され、複数の光源ユニットのうちで第２の光源ユニットに対応する第２のレンズは、第２の光源ユニットと第１の光源ユニットとの距離が大きいほど、第２のレンズの光軸と、第２の光源ユニットの発光面の中心から延出する法線との距離が大きく、なおかつ第２の光源ユニットの発光面の中心から延出する法線が第２のレンズの光軸と第１のレンズの光軸との間に位置するように設置されることが望ましい。
【００１２】
撮影用照明装置は、複数の光源ユニットおよび光路調整ユニットが取付けられる保持部材をさらに有し、保持部材により複数の光源ユニットと光路調整部との位置関係が規定されることが好ましい。この保持部材は、高い熱伝導性を有する材料、特に金属で形成されることが望ましく、さらにはアルミニウムを主成分とする金属で形成されることにより、他の金属よりも高い熱伝導性を有することがより望ましい。
【発明の効果】
【００１３】
以上のように本発明によれば、複数のＬＥＤを有する光源ユニットを備え、撮影領域全般を均等に照明しつつ光の照射により生じる熱を速やかに拡散する、簡素化された構造の照明装置を提供できる。
【発明を実施するための最良の形態】
【００１４】
以下、本発明の実施形態を、図面を参照して説明する。図１は、本発明の照明装置を備えたデジタルカメラを前方から見た正面図である。
【００１５】
デジタルカメラ１０は、レリーズボタン１２、撮影光学系１４および照明装置１６を備えている。照明装置１６は、第１〜第９光源ユニット１６Ａ〜Ｉ（ここでは図示せず）と、デジタルカメラ１０の前面１０Ｆに沿って配置されて、各光源ユニット１６Ａ〜Ｉから射出された光の光路を調整する一体型レンズ５４とにより構成される。一体型レンズ５４は、第１〜第９光源ユニット１６Ａ〜Ｉから射出される光を、それぞれ光路調整する第１〜第９光路調整部５４Ａ〜Ｉを含む。
【００１６】
第１〜第９光路調整部５４Ａ〜Ｉのそれぞれに対応して、デジタルカメラ前面１０Ｆに配置された第１〜第９光源ユニット１６Ａ〜Ｉ（第１光路調整部５４Ａに隣接するように図１の紙面下方に第１光源ユニット１６Ａが設置されている。他の光源ユニットについても同様）は、一体型レンズ５４と協働して、デジタルカメラ１０の撮影領域を均等に照明するために、概ね撮影領域のアスペクト比に対応してデジタルカメラ前面１０Ｆに、３段×３列のマトリクス状で配置されている。ここでは、第１〜第９光源ユニット１６Ａ〜Ｉの横方向（IV−IV線に沿った方向）の間隔と、縦方向（Ｖ−Ｖ線に沿った方向）の間隔との比は、撮影領域のアスペクト比である４：３となっていて、横方向の配置間隔が縦方向の配置間隔よりも若干長くなっている。
【００１７】
図２は、デジタルカメラ１０のブロック図である。
【００１８】
ＣＰＵ１８は、デジタルカメラ１０を制御する制御回路である。ＣＰＵ１８には、メインスイッチＳＷＭＡＩＮ、モード設定スイッチＳＷＭＯＤＥが接続されている。メインスイッチＳＷＭＡＩＮは、デジタルカメラ１０のスイッチ（図示せず）であり、撮影者により操作されるとオン状態になり、ＣＰＵ１８が作動を開始する。モード設定スイッチＳＷＭＯＤＥは、デジタルカメラ１０の表面に設けられたジョグダイアル（図示せず）である。このジョグダイアルを所定の回転位置に定めることにより、撮影モード、露出設定モード、再生モードなどのモードに応じた信号が、ＣＰＵ１８へ送られる。その結果、撮影者により選択されたモードの設定が行われる。なお、ＥＥＰＲＯＭ４４には、ＣＰＵ１８の信号処理のための様々なデータがあらかじめ記憶されている。
【００１９】
ＣＰＵ１８に接続された測光スイッチＳＷＳは、レリーズボタン１２を半押しすることによってオン状態となる。撮影モードに設定されていた場合に、測光スイッチＳＷＳがオン状態となると、測光装置２２による被写体の測光、測距装置２４によるデジタルカメラ１０から被写体までの距離の測定が行われる。こうして得られた輝度データ及び距離データは、ＣＰＵ１８に送信される。
【００２０】
測距装置２４により測距されると、その距離に応じてフォーカス駆動回路２６による自動合焦が行われる。すなわち、ＣＰＵ１８から出力される制御信号に基づいて、焦点調節のために必要な撮影レンズ（図示せず）の駆動量分だけ、撮影レンズがフォーカス駆動回路２６によって駆動される。
【００２１】
また、測光装置２２により測定された被写体の輝度が所定の値よりも小さい場合、被写体の輝度と被写体までの距離に応じた明るさで、被写体を照明する必要があるとＣＰＵ１８において判断される。この結果、フラッシュ回路２０は、ＣＰＵ１８からの制御信号に基づきながら、後述のシャッタ開放時に被写体を照明させるように、照明装置１６を制御する。
【００２２】
レリーズスイッチＳＷＲは、レリーズボタン１２を全押しすることによりオン状態になる。レリーズスイッチＳＷＲがオン状態になると、ＣＰＵ１８からの制御信号に基づいて、シャッタ駆動回路２８によりシャッタ（図示せず）が、露出調整のため所定の開度まで所定時間だけ開かれる。そして、ＣＣＤ駆動回路３６により制御されたＣＣＤ３８が露光され、ＣＣＤ３８に画像に対応した撮像信号が発生する。発生した画像信号は、ＣＣＤ３８から順次読み出されてアンプ回路（図示せず）へ送られる。
【００２３】
ＣＣＤ３８から読み出された画像信号がアンプ回路において増幅処理されると、Ａ/Ｄ変換器４０では、アナログの画像信号がデジタルの画像信号に変換される。デジタル化された画像信号には、ホワイトバランス調整、ガンマ補正などの様々な信号処理が施され、処理された画像信号はＣＰＵ１８へ送られる。さらに、ＣＰＵ１８からＬＣＤドライバ（図示せず）に画像信号が送られ、この画像信号に基づいてＬＣＤ４５が駆動され、被写体像がＬＣＤ４５に表示される。なお、撮影された被写体像の画像データは、ＤＲＡＭ４２やメモリカード（図示せず）に記録される。
【００２４】
図３は、フラッシュ回路２０を示す概略図である。
【００２５】
フラッシュ回路２０は、ＰＷＭ回路４９、駆動パルス発生回路４６、パワーＭＯＳＦＥＴ４７及びＬＥＤ４８を含む。ＬＥＤ４８の発光を制御するための制御信号が、ＣＰＵ１８からＰＷＭ(Pulse Width Modulation)回路４９に入力される。ＰＷＭ回路４９では、この制御信号により、所望のデューティー比や、所定のパルス幅、周波数を持ったパルス信号が生成される。このパルス信号は、駆動パルス発生回路４６に入力される。駆動パルス発生回路４６は、パルス信号の電圧値、電流値をＬＥＤ４８の駆動に適した所定の値に整形して、駆動信号として出力する。駆動パルス発生回路４６から出力される駆動信号は、パワーＭＯＳＦＥＴ４７及び抵抗Ｒを介して、ＬＥＤ４８に出力される。この駆動信号により、ＬＥＤ４８が駆動され、光が照射される。
【００２６】
図４は、図１のIV−IV線に沿った照明装置１６の断面図である。
【００２７】
全ての光源ユニット１６Ａ〜Ｉ（図示しない第１〜第３光源ユニット１６Ａ〜Ｃ及び第７〜第９光源ユニット１６Ｇ〜Ｉを含む）は、デジタルカメラ前面１０Ｆに配置されている。そして、各光源ユニット１６Ａ〜Ｉは、それぞれ半導体発光素子であるＬＥＤ（図示せず）を含み、その表面には、それぞれ第１〜第９発光面５０Ａ〜Ｉを備えている（ここで図示しない第１〜第３発光面５０Ａ〜Ｃ及び第７〜第９発光面５０Ｇ〜Ｉを含む）。全ての発光面５０Ａ〜Ｉは、互いに平行であって、同一平面上に位置している。また、全ての発光面５０Ａ〜Ｉは同一平面上に配置されており、発光面５０Ａ〜Ｉの中心からの各法線Ｖ１〜Ｖ９は、撮影光学系１４の光軸と平行である。
【００２８】
そして、デジタルカメラ前面１０Ｆに沿って、一体型レンズ５４が、マトリクス状に配列された第１〜第９光源ユニット１６Ａ〜Ｉの前面に設けられている。一体型レンズ５４と、第１〜第９光源ユニット１６Ａ〜Ｉとの間には、ホルダ５６が設置されている。ホルダ５６は、一体型レンズ５４と光源ユニット１６Ａ〜Ｉとを保持し、これらの位置関係を規定する。ホルダ５６は、アルミニウムを主成分とする金属性であり、光の照射により光源ユニット１６Ａ〜Ｉから生じる熱を吸収すると同時に、各光源ユニット１６Ａ〜Ｉが取付けられている金属製の基板（図示せず）へ速やかに拡散し、熱の集中による照明装置１６の高温化を防ぐ。また、ホルダ５６の材質は、アルミニウムの他にも、銅等のように金属の中でも高い熱伝導性を有するものであることが好ましい。
【００２９】
第１〜第９光源ユニット１６Ａ〜Ｉやホルダ５６に接する空孔部５８は、第１〜第９光源ユニット１６Ａ〜Ｉの取付けに用いられたハンダの逃げである。
【００３０】
一体型レンズ５４は、各光源ユニット１６Ａ〜Ｉに対応する位置に配置されて、各光源ユニット１６Ａ〜Ｉから射出される光をそれぞれ受光する９箇所のレンズで構成される第１〜第９光路調整部５４Ａ〜Ｉ（ここで図示しない第１〜第３光路調整部５４Ａ〜Ｃ及び第７〜第９光路調整部５４Ｇ〜Ｉを含む）を含む。全ての光路調整部５４Ａ〜Ｉは、一体的に成形されている。第４〜第６発光面５０Ｄ〜Ｆから射出された光は、それぞれ第４〜第６光路調整部５４Ｄ〜Ｆにより光路調整される。そして、光路調整部５４Ａ〜Ｉと、それぞれ対応する光源ユニット１６Ａ〜Ｉとの焦点距離は、ホルダ５６により一定に保たれる。
【００３１】
第１〜第９光源ユニット１６Ａ〜Ｉの中央に配置された第５光源ユニット１６Ｅからの照射光ＬＥは、矢印Ａが示す撮影光学系１４の光軸に平行な方向に照射されるように、第５光路調整部５４Ｅにより光路調整され、図４において第５光源ユニット１６Ｅの右側に配置された第４光源ユニット１６Ｄからの照射光ＬＤは、撮影光学系１４の光軸に対して右側の方向に照射されるように第４光路調整部５４Ｄにより光路調整される。一方、第５光源ユニット１６Ｅの左側に配置された第６光源ユニット１６からの照射光ＬＦは、撮影光学系１４の光軸に対して左側の方向に照射されるように第６光路調整部５４Ｆにより光路調整される。なお、これらの照射光ＬＤ〜ＬＦは、それぞれ所定の照射角を備えている。
【００３２】
ここで、第５発光面５０Ｅの中心からの法線Ｖ５は、撮影光学系１４の光軸と平行な第５光路調整部５４Ｅの光軸Ｃ５と一致するが、第４、第６発光面５０Ｄ、Ｆの中心からの法線Ｖ４、Ｖ６は、それぞれの第４、第６光路調整部５４Ｄ、Ｆの光軸Ｃ４、Ｃ６とは一致せず、光軸Ｃ４は法線Ｖ４に対して、光軸Ｃ５と反対側にずれて配置している。これは、第５発光面５０Ｅから射出された光は、撮影光学系１４の光軸と平行な方向に照射されるように第５光路調整部５４Ｅにより光路調整されるのに対し、第４及び第６発光面５０Ｄ、Ｆから射出された光は、照明装置１６の中心を通る第５発光面５０Ｅの光軸Ｃ５に対して外側に傾いた方向（すなわち光軸Ｃ５から離れ、拡散する方向）に照射されるように、第４〜第６光路調整部５４Ｄ〜Ｆにより光路調整されるためである。
【００３３】
なお、第４光路調整部５４Ｄの光軸Ｃ４と第４発光面５０Ｄの法線Ｖ４との距離は、第６光路調整部５４Ｆの光軸Ｃ６と第６発光面５０Ｆの法線Ｖ６との距離に等しく、光軸Ｃ４と光軸Ｃ６とは、照明装置１６の中央の第５発光面５０Ｅの光軸Ｃ５を中心にした対称の位置にある。
【００３４】
このように、全ての光源ユニット１６Ａ〜Ｉの発光面５０Ａ〜Ｉを同一方向に向けて設置し、第１〜第９光路調整部５４Ａ〜Ｉを一体的に成形した一体型レンズ５４を用いることにより、複数の光源をそれぞれに対応する独立な光路調整部と組合せて、個々の照射光の照射方向に、すなわち互いに異なる方向を向くように設置する場合に比べ、照明装置１６の構造は簡素化される。
【００３５】
図５は、図１のＶ−Ｖ線に沿った照明装置１６の断面図である。
【００３６】
第５光源ユニット１６Ｅからの照射光ＬＥは、矢印Ａの示す撮影光学系１４の光軸に平行な方向に照射されるのに対し、第５光源ユニット１６Ｅの上に配置された第２光源ユニット１６Ｂからの照射光ＬＢは、撮影光学系１４の光軸に対して上側の方向に照射されるように第２光路調整部５４Ｂにより光路調整される。一方、第５光源ユニット１６Ｅの下に配置された第８光源ユニット１６Ｈからの照射光ＬＨは、撮影光学系１４の光軸に対して下側の方向に照射されるように第８光路調整部５４Ｈにより光路調整される。これらの照射光ＬＢ、ＬＨは、それぞれ所定の照射角を備えている。
【００３７】
第５発光面５０Ｅの中心から延出する法線Ｖ５が、第５光路調整部５４Ｅの光軸Ｃ５と一致するのに対し、第２発光面５０Ｂ、第８発光面５０Ｈの中心から延出する法線Ｖ２、Ｖ８は、それぞれ第２、第８光路調整部５４Ｂ、Ｈの光軸Ｃ２、Ｃ８とは一致せず、光軸Ｃ２は法線Ｖ２に対して、光軸Ｃ５と反対側にずれて配置している。これは、第５発光面５０Ｅから射出された光は、撮影光学系１４の光軸と平行な方向に照射されるように第５光路調整部５４Ｅにより光路調整されるのに対し、第２及び第８発光面５０Ｂ、Ｈから射出された光は、照明装置１６の中心を通る第５発光面５０Ｅの光軸Ｃ５に対して外側に傾いた方向（すなわち光軸Ｃ５から離れ、拡散する方向）に照射されるように光路調整されるためである。
【００３８】
なお、第２光路調整部５２Ｂの光軸Ｃ２と第２発光面５０Ｈの法線Ｖ２との距離は、第８光路調整部５２Ｈの光軸Ｃ８と第８発光面５０Ｈの法線Ｖ８との距離に等しく、光軸Ｃ２と光軸Ｃ８とは、照明装置１８の中央の第５発光面５０Ｅの光軸Ｃ５を中心にした対称の位置にある。
【００３９】
照明装置１６においては、デジタルカメラ１０の撮影領域を均等に照明するために、マトリクス状に配置された光源ユニット１６Ａ〜Ｉのそれぞれが、各光源ユニットの配置にほぼ対応する領域を照明する。すなわち、全ての発光面５０Ａ〜Ｉの中央に位置する第５発光面５０Ｅから射出される光は撮影光学系１４の光軸に平行な方向に照射され、第５発光面５０Ｅから遠い場所に配置された発光面から照射される照射光ほど、撮影光学系１４の光軸に平行な方向から傾きの大きい方向に向けて照射されるように光路調整されることにより、デジタルカメラ１０の撮影領域が均等に照明される。
【００４０】
そして、先述のように、光源ユニット１６Ａ〜Ｉの配置の間隔は、横方向（IV−IV線に沿った方向）と縦方向（Ｖ−Ｖ線に沿った方向）とで４：３となっている（図１参照）ため、照明装置１６の中心に位置する第５光源ユニット１６Ｅから、第２光源ユニット１６Ｂ及び第８光源ユニット１６Ｈまでの距離は、第５光源ユニット１６Ｅから、第４光源ユニット１６Ｄ及び第６光源ユニット１６Ｆまでの距離よりも短い。このため、第２及び第８発光面５０Ｂ、５０Ｈから射出される光は、第４及び第６発光面５０Ｄ、５０Ｆから射出される光よりも撮影光学系１４の光軸に平行な方向に近い方向に照射されるように光路調整されるため、法線Ｖ２と光軸Ｃ２、法線Ｖ８と光軸Ｃ８との隔たりは、先述の法線Ｖ４と光軸Ｃ４、法線Ｖ６と光軸Ｃ６との隔たりよりも小さい（図４及び図５参照）。
【００４１】
従って、第５発光面５０Ｅから最も離れた第１発光面５０Ａ、第３発光面５０Ｃ、第７発光面５０Ｇ及び第９発光面５０Ｉ（いずれも図示せず）から、それぞれ撮影者にとっての右上、左上、右下、左下の方向に向けて照射される照射光ＬＡ、ＬＣ、ＬＧ及びＬＩ（いずれも図示せず）の照射の方向と、撮影光学系１４の光軸に平行な方向との傾きは、照射光ＬＤ、ＬＦの照射の方向と、撮影光学系１４の光軸に平行な方向との傾きよりもさらに大きくなるように、それぞれ光路調整される。
【００４２】
一体型レンズ５４がホルダ５６に保持された状態においては、各光路調整部（レンズ）は、第５発光面５０Ｅ上に配置されたレンズ５４Ｅの光軸Ｃ５は第５光源ユニット１６Ｅの発光面５０Ｅの中心から延出する法線Ｖ５と一致するものの、その他の光路調整部に関しては、第５発光面５０Ｅ上に設置された光路調整部５４Ｅから離れた位置にあるものほど、対応する光源ユニットの発光面中心からの法線に対して光軸が外側に大きくずれるように構成されている。
【００４３】
先述の照射光ＬＢ、ＬＤ〜ＬＦ、ＬＨに加え、照射光ＬＡ、ＬＣ、ＬＧ及びＬＩも、それぞれ所定の照射角を備えている。こうして、全ての照射光ＬＡ〜ＬＩに所定の照射角を備えさせ、照明装置１６の中央に位置する第５光源ユニット１６Ｅから照射される照射光ＬＥは撮影光学系の光軸に平行な方向に照射されるように光路調整を行い、その他の光源ユニットから照射される照射光は、第５光源ユニット１６Ｅから遠い光源ユニットからの光ほど、照射光ＬＥから遠ざけるように、撮影光学系の光軸に平行な方向に対する傾きを大きくさせて照射させるように光路調整を行うことにより、被写体の均等な照明が行われる。
【００４４】
図６は、光源ユニット１６Ａを示す断面図である。
【００４５】
第１光源ユニット１６Ａは、光源としてのＬＥＤ４８を有する。ＬＥＤ４８は、青色の光を発光する発光部４８Ａ、第１リード線６６、第２リード線６８を有しており、第１リード線６６により陰極端子６２と、第２リード線６８により陽極端子６４と接続される。そして、ＬＥＤ４８は、陰極端子６２から電流を供給されることにより発光する。ＬＥＤ４８の発光量は、発光部４８Ａに供給される電流量によって調整される。また、発光部４８Ａと第１発光面５０Ａとの間に、第１発光面５０Ａを中心に設けられる発光層６０には、発光部４８Ａから照射される光を吸収し、発光面５０Ａからの照射光ＬＡを白色光にする多数の蛍光体５８が含まれている。なお、第２〜第９光源ユニット１６Ｂ〜Ｉも、第１光源ユニット１６Ａと同様の構造を有している。
【００４６】
発光面５０Ａから射出される光は、発光層６０内に一様に分布された多数の蛍光体５８による反射を経て二次発光された白色光であるため、発光面５０Ａ上の特定の発光点からではなく、発光面５０Ａから一様に、無指向で射出される。ここでは、発光面５０Ａの中心の点と、端に位置する二点から射出される光のみを図示している。第１光路調整部５４Ａのレンズ瞳に入射する角度α1〜α3の白色光が、一体型レンズ５４の第１光路調整部５４Ａに入射すると、図６に示すように屈折し、第１光路調整部５４Ａを透過して、撮影領域に向けてそれぞれ平行光として照射される。ここで、各点から射出される光は、第１光路調整部５４Ａを通過するとそれぞれ平行光として照射されているが、発光面５０Ａ上の全ての点からの光を含む照射光ＬＡは、照射角βを有する。
【００４７】
光源ユニット１６Ａ〜Ｉは、デジタルカメラ１０に埋設された一体型ではなく、デジタルカメラ１０から独立した照明装置１６を形成しても良い。
【００４８】
以上のように本発明によれば、第１〜第９光源ユニット１６Ａ〜Ｉのそれぞれの発光面５０Ａ〜Ｉの法線が、同一方向に沿うようにデジタルカメラ１０に配置させ、第１〜第９光源ユニット１６Ａ〜Ｉを覆う一体型レンズ５４を、デジタルカメラ前面１０Ｆに沿って設置することにより、簡素化された構造の照明装置１６を実現できる。そして、第１〜第９光源光源ユニット１６Ａ〜Ｉから照射される照射光ＬＡ〜ＬＩを、第１〜第９光路調整部５４Ａ〜Ｉによりそれぞれ光路調整することにより、撮影領域を均等に照明する。また、第１〜第９光源ユニット１６Ａ〜Ｉと一体型レンズ５４との位置関係は、ホルダ５６によって一定に保持される。さらにホルダ５６は、光の照射による熱を速やかに拡散して、照明装置１６の高温化を防ぐ。
【００４９】
各光源ユニット１６Ａ〜Ｉからの照射光ＬＡ〜ＬＦの照射方向や照射角は、各光路調整部５４Ａ〜Ｉの形状や、発光層６０の構成により所望のものに設定される。
【００５０】
照明装置１６における光源ユニットの配置は、本実施形態に限定されない。例えば、デジタルカメラ前面１０Ｆに水平方向に配列された２個の光源ユニットや、デジタルカメラ前面１０Ｆのある矩形状の領域内において、水平方向に２段で垂直方向に３列で配列された６個の光源ユニット、水平方向に３段で垂直方向に４列で配列された１２個の光源ユニットにより形成されても良い。この場合、一体型レンズ５４、ホルダ５６等の形状は、光源ユニットの配列に対応させる。
【００５１】
照明装置１６は、銀塩カメラ、撮影機能付き携帯機器等において用いられても良い。また照明装置１６は、撮影装置に一体的に設けられず、撮影装置に着脱自在な独立した構造であっても良い。
【００５２】
第１〜９光源ユニット１６Ａ〜Ｉは、青色光を発光する発光部４８Ａ〜Ｉと蛍光体５８を用いた二次発光による白色光を照射しているが、発光方法はこれに限定されず、赤、緑、青の各色の光を発光する発光部を用いたＬＥＤにより、白色光を照射しても良い。
【図面の簡単な説明】
【００５３】
【図１】本発明の照明装置を備えたデジタルカメラを前方から見た正面図である。
【図２】デジタルカメラのブロック図である。
【図３】フラッシュ回路を示す概略図である。
【図４】図１のIV−IV線に沿った照明装置の断面図である。
【図５】図１のＶ−Ｖ線に沿った照明装置の断面図である。
【図６】光源ユニットの断面図である。
【符号の説明】
【００５４】
１０  デジタルカメラ（撮影装置）
１４  撮影光学系
１６  照明装置
１６Ａ〜Ｉ  第１〜９光源ユニット
４８  ＬＥＤ（半導体発光素子）
５４  一体型レンズ（光路調整ユニット）
５４Ａ〜Ｉ  第１〜９光路調整部
５６  ホルダ（保持部材）
【図１】
2005114924.tif 000003
【図２】
2005114924.tif 000004
【図３】
2005114924.tif 000005
【図４】
2005114924.tif 000006
【図５】
2005114924.tif 000007
【図６】
2005114924.tif 000008